(57)【特許請求の範囲】
【請求項１】
上り用入力側光ファイバから入力された信号光のうちの所望の波長の信号光については上り用出力側光ファイバへ出力するとともに、該上り用入力側光ファイバから入力された信号光のうちの所望の波長とは異なる他の波長の信号光については分岐用出力側光ファイバへ出力する第１分岐部と、
分岐用入力側光ファイバから入力された信号光については該上り用出力側光ファイバへ出力する第１挿入部と、
下り用入力側光ファイバから入力された信号光のうちの所望の波長の信号光については下り用出力側光ファイバへ出力するとともに、該下り用入力側光ファイバから入力された信号光のうちの所望の波長とは異なる他の波長の信号光については該分岐用出力側光ファイバへ出力する第２分岐部と、
該分岐用入力側光ファイバから入力された信号光については該下り用出力側光ファイバへ出力する第２挿入部と、
該分岐用入力側光ファイバから入力された信号光のうちの所望の波長の信号光については該上り用出力側光ファイバへ出力するとともに、該分岐用入力側光ファイバから入力された信号光のうちの所望の波長とは異なる他の波長の信号光については該下り用出力側光ファイバへ出力する第３分岐部と、
該下り用入力側光ファイバから入力された信号光については該分岐用出力側光ファイバへ出力する第３挿入部とをそなえ、
該第１分岐部が、該上り用入力側光ファイバから入力された信号光のうちの所望の波長の信号光については該上り用出力側光ファイバへ出力する帯域通過フィルタとして機能するとともに、該上り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第２分岐部が、該下り用入力側光ファイバから入力された信号光のうちの所望の波長の信号光については該下り用出力側光ファイバへ出力する帯域通過フィルタとして機能するとともに、該下り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第３分岐部が、該分岐用入力側光ファイバから入力された信号光のうちの所望の波長の信号光については該上り用出力側光ファイバへ出力する帯域通過フィルタとして機能するとともに、該分岐用入力側光ファイバから入力された信号光のうちの所望の波長とは異なる他の波長の信号光については該下り用出力側光ファイバへ出力する帯域阻止フィルタとして機能する誘電体多層膜フィルタで構成されたことを特徴とする、光分岐挿入装置。
【請求項２】
上り用入力側光ファイバから入力された信号光のうちの所望の波長の信号光については上り用出力側光ファイバへ出力するとともに、該上り用入力側光ファイバから入力された信号光のうちの所望の波長とは異なる他の波長の信号光については分岐用出力側光ファイバへ出力する第１分岐部と、
分岐用入力側光ファイバから入力された信号光については該上り用出力側光ファイバへ出力する第１挿入部と、
下り用入力側光ファイバから入力された信号光のうちの所望の波長の信号光については下り用出力側光ファイバへ出力するとともに、該下り用入力側光ファイバから入力された信号光のうちの所望の波長とは異なる他の波長の信号光については該分岐用出力側光ファイバへ出力する第２分岐部と、
該分岐用入力側光ファイバから入力された信号光については該下り用出力側光ファイバへ出力する第２挿入部と、
該分岐用入力側光ファイバから入力された信号光のうちの所望の波長の信号光については該上り用出力側光ファイバへ出力するとともに、該分岐用入力側光ファイバから入力された信号光のうちの所望の波長とは異なる他の波長の信号光については該下り用出力側光ファイバへ出力する第３分岐部と、
該下り用入力側光ファイバから入力された信号光については該分岐用出力側光ファイバへ出力する第３挿入部とをそなえ、
該第１分岐部が、該上り用入力側光ファイバから入力された信号光のうちの所望の波長の信号光については該上り用出力側光ファイバへ出力する帯域通過フィルタとして機能するとともに、該上り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第１挿入部が、該分岐用入力側光ファイバから入力された信号光については該上り用出力側光ファイバへ出力する光カプラとして機能する誘電体多層膜フィルタで構成され、
該第２分岐部が、該下り用入力側光ファイバから入力された信号光のうちの所望の波長の信号光については該下り用出力側光ファイバへ出力する帯域通過フィルタとして機能するとともに、該下り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第２挿入部が、該分岐用入力側光ファイバから入力された信号光については該下り用出力側光ファイバへ出力する光カプラとして機能する誘電体多層膜フィルタで構成され、
該第３分岐部が、該分岐用入力側光ファイバから入力された信号光のうちの所望の波長の信号光については該上り用出力側光ファイバへ出力する帯域通過フィルタとして機能するとともに、該分岐用入力側光ファイバから入力された信号光のうちの所望の波長とは異なる他の波長の信号光については該下り用出力側光ファイバへ出力する帯域阻止フィルタとして機能する誘電体多層膜フィルタで構成され、
該第３挿入部が、該下り用入力側光ファイバから入力された信号光については該分岐用出力側光ファイバへ出力する光カプラとして機能する誘電体多層膜フィルタで構成されたことを特徴とする、光分岐挿入装置。
【請求項３】
上り用入力側光ファイバから入力された信号光のうちの所望の波長の信号光については上り用出力側光ファイバへ出力するとともに、該上り用入力側光ファイバから入力された信号光のうちの所望の波長とは異なる他の波長の信号光については分岐用出力側光ファイバへ出力する第１分岐部と、
分岐用入力側光ファイバから入力された信号光については該上り用出力側光ファイバへ出力する第１挿入部と、
下り用入力側光ファイバから入力された信号光のうちの所望の波長の信号光については下り用出力側光ファイバへ出力するとともに、該下り用入力側光ファイバから入力された信号光のうちの所望の波長とは異なる他の波長の信号光については該分岐用出力側光ファイバへ出力する第２分岐部と、
該分岐用入力側光ファイバから入力された信号光については該下り用出力側光ファイバへ出力する第２挿入部と、
該分岐用入力側光ファイバから入力された信号光のうちの所望の波長の信号光については該上り用出力側光ファイバへ出力するとともに、該分岐用入力側光ファイバから入力された信号光のうちの所望の波長とは異なる他の波長の信号光については該下り用出力側光ファイバへ出力する第３分岐部と、
該下り用入力側光ファイバから入力された信号光については該分岐用出力側光ファイバへ出力する第３挿入部とをそなえ、
該第１分岐部が、該上り用入力側光ファイバから入力された信号光のうちの所望の波長の信号光については該上り用出力側光ファイバへ出力する帯域通過フィルタとして機能するとともに、該上り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第１挿入部が、該分岐用入力側光ファイバから入力された信号光については該上り用出力側光ファイバへ出力する光カプラとして機能する光合波器で構成され、
該第２分岐部が、該下り用入力側光ファイバから入力された信号光のうちの所望の波長の信号光については該下り用出力側光ファイバへ出力する帯域通過フィルタとして機能するとともに、該下り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第２挿入部が、該分岐用入力側光ファイバから入力された信号光については該下り用出力側光ファイバへ出力する光カプラとして機能する光合波器で構成され、
該第３分岐部が、該分岐用入力側光ファイバから入力された信号光のうちの所望の波長の信号光については該上り用出力側光ファイバへ出力する帯域通過フィルタとして機能するとともに、該分岐用入力側光ファイバから入力された信号光のうちの所望の波長とは異なる他の波長の信号光については該下り用出力側光ファイバへ出力する帯域阻止フィルタとして機能する誘電体多層膜フィルタで構成され、
該第３挿入部が、該下り用入力側光ファイバから入力された信号光については該分岐用出力側光ファイバへ出力する光カプラとして機能する光合波器で構成され、且つ、該第１挿入部が該第１分岐部の後段に設けられ、該第２挿入部が該第２分岐部の後段に設けられたことを特徴とする、光分岐挿入装置。
【請求項４】
上り用入力側光ファイバから入力された信号光のうちの所望の波長の信号光については上り用出力側光ファイバへ出力するとともに、該上り用入力側光ファイバから入力された信号光のうちの所望の波長とは異なる他の波長の信号光については分岐用出力側光ファイバへ出力する第１分岐部と、
分岐用入力側光ファイバから入力された信号光については該上り用出力側光ファイバへ出力する第１挿入部と、
下り用入力側光ファイバから入力された信号光のうちの所望の波長の信号光については下り用出力側光ファイバへ出力するとともに、該下り用入力側光ファイバから入力された信号光のうちの所望の波長とは異なる他の波長の信号光については該分岐用出力側光ファイバへ出力する第２分岐部と、
該分岐用入力側光ファイバから入力された信号光については該下り用出力側光ファイバへ出力する第２挿入部と、該分岐用入力側光ファイバから入力された信号光のうちの所望の波長の信号光については該上り用出力側光ファイバへ出力するとともに、該分岐用入力側光ファイバから入力された信号光のうちの所望の波長とは異なる他の波長の信号光については該下り用出力側光ファイバへ出力する第３分岐部と、
該下り用入力側光ファイバから入力された信号光については該分岐用出力側光ファイバへ出力する第３挿入部とをそなえ、
該第１分岐部が、該上り用入力側光ファイバから入力された信号光のうちの所望の波長の信号光については該上り用出力側光ファイバへ出力する帯域通過フィルタとして機能するとともに、該上り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第２分岐部が、該下り用入力側光ファイバから入力された信号光のうちの所望の波長の信号光については該下り用出力側光ファイバへ出力する帯域通過フィルタとして機能するとともに、該下り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第３分岐部が、該分岐用入力側光ファイバから入力された信号光のうちの所望の波長の信号光については該上り用出力側光ファイバへ出力する帯域通過フィルタとして機能するとともに、該分岐用入力側光ファイバから入力された信号光のうちの所望の波長とは異なる他の波長の信号光については該下り用出力側光ファイバへ出力する帯域阻止フィルタとして機能する誘電体多層膜フィルタで構成され、さらに、
該上り用入力側光ファイバから入力された信号光のうちの所望の波長の信号光については該第１分岐部及び該第１挿入部を介して該上り用出力側光ファイバへ出力するとともに、該上り用入力側光ファイバから入力された信号光のうちの所望の波長とは異なる他の波長の信号光については該第１分岐部及び該第３挿入部を介して該分岐用出力側光ファイバへ出力し、該分岐用入力側光ファイバから入力された信号光のうちの所望の波長の信号光については該第３分岐部及び該第１挿入部を介して該上り用出力側光ファイバへ出力し、該下り用入力側光ファイバから入力された信号光のうちの所望の波長の信号光については該第２分岐部及び該第２挿入部を介して該下り用出力側光ファイバへ出力するとともに、該下り用入力側光ファイバから入力された信号光のうちの所望の波長とは異なる他の波長の信号光については該第２分岐部及び該第３挿入部を介して該分岐用出力側光ファイバへ出力し、該分岐用入力側光ファイバから入力された信号光のうちの所望の波長とは異なる他の波長の信号光については該第３分岐部及び該第２挿入部を介して該下り用出力側光ファイバへ出力するように構成されたことを特徴とする、光分岐挿入装置。
【請求項５】
上り用入力側光ファイバから入力された信号光のうちの所望の波長の信号光については上り用出力側光ファイバへ出力するとともに、該上り用入力側光ファイバから入力された信号光のうちの所望の波長とは異なる他の波長の信号光については分岐用出力側光ファイバへ出力する第１分岐部と、
分岐用入力側光ファイバから入力された信号光については該上り用出力側光ファイバへ出力する第１挿入部と、
下り用入力側光ファイバから入力された信号光のうちの所望の波長の信号光については下り用出力側光ファイバへ出力するとともに、該下り用入力側光ファイバから入力された信号光のうちの所望の波長とは異なる他の波長の信号光については該分岐用出力側光ファイバへ出力する第２分岐部と、
該分岐用入力側光ファイバから入力された信号光については該下り用出力側光ファイバへ出力する第２挿入部と、
該分岐用入力側光ファイバから入力された信号光のうちの所望の波長の信号光については該上り用出力側光ファイバへ出力するとともに、該分岐用入力側光ファイバから入力された信号光のうちの所望の波長とは異なる他の波長の信号光については該下り用出力側光ファイバへ出力する第３分岐部と、
該下り用入力側光ファイバから入力された信号光については該分岐用出力側光ファイバへ出力する第３挿入部とをそなえ、
該第１分岐部が、該上り用入力側光ファイバから入力された信号光のうちの所望の波長の信号光については該上り用出力側光ファイバへ出力する帯域通過フィルタとして機能するとともに、該上り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第１挿入部が、該分岐用入力側光ファイバから入力された信号光については該上り用出力側光ファイバへ出力する光カプラとして機能する誘電体多層膜フィルタで構成され、
該第２分岐部が、該下り用入力側光ファイバから入力された信号光のうちの所望の波長の信号光については該下り用出力側光ファイバへ出力する帯域通過フィルタとして機能するとともに、該下り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第２挿入部が、該分岐用入力側光ファイバから入力された信号光については該下り用出力側光ファイバへ出力する光カプラとして機能する誘電体多層膜フィルタで構成され、
該第３分岐部が、該分岐用入力側光ファイバから入力された信号光のうちの所望の波長の信号光については該上り用出力側光ファイバへ出力する帯域通過フィルタとして機能するとともに、該分岐用入力側光ファイバから入力された信号光のうちの所望の波長とは異なる他の波長の信号光については該下り用出力側光ファイバへ出力する帯域阻止フィルタとして機能する誘電体多層膜フィルタで構成され、
該第３挿入部が、該下り用入力側光ファイバから入力された信号光については該分岐用出力側光ファイバへ出力する光カプラとして機能する誘電体多層膜フィルタで構成され、さらに、
該上り用入力側光ファイバから入力された信号光のうちの所望の波長の信号光については該第１分岐部及び該第１挿入部を介して該上り用出力側光ファイバへ出力するとともに、該上り用入力側光ファイバから入力された信号光のうちの所望の波長とは異なる他の波長の信号光については該第１分岐部及び該第３挿入部を介して該分岐用出力側光ファイバへ出力し、該分岐用入力側光ファイバから入力された信号光のうちの所望の波長の信号光については該第３分岐部及び該第１挿入部を介して該上り用出力側光ファイバへ出力し、該下り用入力側光ファイバから入力された信号光のうちの所望の波長の信号光については該第２分岐部及び該第２挿入部を介して該下り用出力側光ファイバへ出力するとともに、該下り用入力側光ファイバから入力された信号光のうちの所望の波長とは異なる他の波長の信号光については該第２分岐部及び該第３挿入部を介して該分岐用出力側光ファイバへ出力し、該分岐用入力側光ファイバから入力された信号光のうちの所望の波長とは異なる他の波長の信号光については該第３分岐部及び該第２挿入部を介して該下り用出力側光ファイバへ出力するように構成されたことを特徴とする、光分岐挿入装置。
【請求項６】
上り用入力側光ファイバから入力された信号光のうちの所望の波長の信号光については上り用出力側光ファイバへ出力するとともに、該上り用入力側光ファイバから入力された信号光のうちの所望の波長とは異なる他の波長の信号光については分岐用出力側光ファイバへ出力する第１分岐部と、
分岐用入力側光ファイバから入力された信号光については該上り用出力側光ファイバへ出力する第１挿入部と、
下り用入力側光ファイバから入力された信号光のうちの所望の波長の信号光については下り用出力側光ファイバへ出力するとともに、該下り用入力側光ファイバから入力された信号光のうちの所望の波長とは異なる他の波長の信号光については該分岐用出力側光ファイバへ出力する第２分岐部と、
該分岐用入力側光ファイバから入力された信号光については該下り用出力側光ファイバへ出力する第２挿入部と、
該分岐用入力側光ファイバから入力された信号光のうちの所望の波長の信号光については該上り用出力側光ファイバへ出力するとともに、該分岐用入力側光ファイバから入力された信号光のうちの所望の波長とは異なる他の波長の信号光については該下り用出力側光ファイバへ出力する第３分岐部と、
該下り用入力側光ファイバから入力された信号光については該分岐用出力側光ファイバへ出力する第３挿入部とをそなえ、
該第１分岐部が、該上り用入力側光ファイバから入力された信号光のうちの所望の波長の信号光については該上り用出力側光ファイバへ出力する帯域通過フィルタとして機能するとともに、該上り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第１挿入部が、該分岐用入力側光ファイバから入力された信号光については該上り用出力側光ファイバへ出力する光カプラとして機能する光合波器で構成され、
該第２分岐部が、該下り用入力側光ファイバから入力された信号光のうちの所望の波長の信号光については該下り用出力側光ファイバへ出力する帯域通過フィルタとして機能するとともに、該下り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第２挿入部が、該分岐用入力側光ファイバから入力された信号光については該下り用出力側光ファイバへ出力する光カプラとして機能する光合波器で構成され、
該第３分岐部が、該分岐用入力側光ファイバから入力された信号光のうちの所望の波長の信号光については該上り用出力側光ファイバへ出力する帯域通過フィルタとして機能するとともに、該分岐用入力側光ファイバから入力された信号光のうちの所望の波長とは異なる他の波長の信号光については該下り用出力側光ファイバへ出力する帯域阻止フィルタとして機能する誘電体多層膜フィルタで構成され、
該第３挿入部が、該下り用入力側光ファイバから入力された信号光については該分岐用出力側光ファイバへ出力する光カプラとして機能する光合波器で構成され、且つ、該第１挿入部が該第１分岐部の後段に設けられ、該第２挿入部が該第２分岐部の後段に設けられ、さらに、
該上り用入力側光ファイバから入力された信号光のうちの所望の波長の信号光については該第１分岐部及び該第１挿入部を介して該上り用出力側光ファイバへ出力するとともに、該上り用入力側光ファイバから入力された信号光のうちの所望の波長とは異なる他の波長の信号光については該第１分岐部及び該第３挿入部を介して該分岐用出力側光ファイバへ出力し、該分岐用入力側光ファイバから入力された信号光のうちの所望の波長の信号光については該第３分岐部及び該第１挿入部を介して該上り用出力側光ファイバへ出力し、該下り用入力側光ファイバから入力された信号光のうちの所望の波長の信号光については該第２分岐部及び該第２挿入部を介して該下り用出力側光ファイバへ出力するとともに、該下り用入力側光ファイバから入力された信号光のうちの所望の波長とは異なる他の波長の信号光については該第２分岐部及び該第３挿入部を介して該分岐用出力側光ファイバへ出力し、該分岐用入力側光ファイバから入力された信号光のうちの所望の波長とは異なる他の波長の信号光については該第３分岐部及び該第２挿入部を介して該下り用出力側光ファイバへ出力するように構成されたことを特徴とする、光分岐挿入装置。
【請求項７】
光ファイバからなる光伝送路を介して相互に接続された複数の端局を有する光伝送システムにおいて、
該光伝送路を介して該端局間で信号光の送受を行なうべく、
該光伝送路を構成する上り用入力側光ファイバから入力された信号光のうちの所望の波長の信号光については該光伝送路を構成する上り用出力側光ファイバへ出力するとともに、該上り用入力側光ファイバから入力された信号光のうちの所望の波長とは異なる他の波長の信号光については該光伝送路を構成する分岐用出力側光ファイバへ出力する第１分岐部と、該光伝送路を構成する分岐用入力側光ファイバから入力された信号光については該上り用出力側光ファイバへ出力する第１挿入部と、該光伝送路を構成する下り用入力側光ファイバから入力された信号光のうちの所望の波長の信号光については該光伝送路を構成する下り用出力側光ファイバへ出力するとともに、該下り用入力側光ファイバから入力された信号光のうちの所望の波長とは異なる他の波長の信号光については該分岐用出力側光ファイバへ出力する第２分岐部と、該分岐用入力側光ファイバから入力された信号光については該下り用出力側光ファイバへ出力する第２挿入部と、該分岐用入力側光ファイバから入力された信号光のうちの所望の波長の信号光については該上り用出力側光ファイバへ出力するとともに、該分岐用入力側光ファイバから入力された信号光のうちの所望の波長とは異なる他の波長の信号光については該下り用出力側光ファイバへ出力する第３分岐部と、該下り用入力側光ファイバから入力された信号光については該分岐用出力側光ファイバへ出力する第３挿入部とをそなえ、
該第１分岐部が、該上り用入力側光ファイバから入力された信号光のうちの所望の波長の信号光については該上り用出力側光ファイバへ出力する帯域通過フィルタとして機能するとともに、該上り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第２分岐部が、該下り用入力側光ファイバから入力された信号光のうちの所望の波長の信号光については該下り用出力側光ファイバへ出力する帯域通過フィルタとして機能するとともに、該下り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第３分岐部が、該分岐用入力側光ファイバから入力された信号光のうちの所望の波長の信号光については該上り用出力側光ファイバへ出力する帯域通過フィルタとして機能するとともに、該分岐用入力側光ファイバから入力された信号光のうちの所望の波長とは異なる他の波長の信号光については該下り用出力側光ファイバへ出力する帯域阻止フィルタとして機能する誘電体多層膜フィルタで構成された光分岐挿入装置が、該光伝送路の分岐点に設けられたことを特徴とする、光分岐挿入装置を有する光伝送システム。
【請求項８】
光ファイバからなる光伝送路を介して相互に接続された複数の端局を有する光伝送システムにおいて、
該光伝送路を介して該端局間で信号光の送受を行なうべく、
該光伝送路を構成する上り用入力側光ファイバから入力された信号光のうちの所望の波長の信号光については該光伝送路を構成する上り用出力側光ファイバへ出力するとともに、該上り用入力側光ファイバから入力された信号光のうちの所望の波長とは異なる他の波長の信号光については該光伝送路を構成する分岐用出力側光ファイバへ出力する第１分岐部と、
該光伝送路を構成する分岐用入力側光ファイバから入力された信号光については該上り用出力側光ファイバへ出力する第１挿入部と、
下り用入力側光ファイバから入力された信号光のうちの所望の波長の信号光については下り用出力側光ファイバへ出力するとともに、該下り用入力側光ファイバから入力された信号光のうちの所望の波長とは異なる他の波長の信号光については該分岐用出力側光ファイバへ出力する第２分岐部と、
該分岐用入力側光ファイバから入力された信号光については該下り用出力側光ファイバへ出力する第２挿入部と、
該分岐用入力側光ファイバから入力された信号光のうちの所望の波長の信号光については該上り用出力側光ファイバへ出力するとともに、該分岐用入力側光ファイバから入力された信号光のうちの所望の波長とは異なる他の波長の信号光については該下り用出力側光ファイバへ出力する第３分岐部と、
該下り用入力側光ファイバから入力された信号光については該分岐用出力側光ファイバへ出力する第３挿入部とをそなえ、
該第１分岐部が、該上り用入力側光ファイバから入力された信号光のうちの所望の波長の信号光については該上り用出力側光ファイバへ出力する帯域通過フィルタとして機能するとともに、該上り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第１挿入部が、該分岐用入力側光ファイバから入力された信号光については該上り用出力側光ファイバへ出力する光カプラとして機能する誘電体多層膜フィルタで構成され、
該第２分岐部が、該下り用入力側光ファイバから入力された信号光のうちの所望の波長の信号光については該下り用出力側光ファイバへ出力する帯域通過フィルタとして機能するとともに、該下り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第２挿入部が、該分岐用入力側光ファイバから入力された信号光については該下り用出力側光ファイバへ出力する光カプラとして機能する誘電体多層膜フィルタで構成され、
該第３分岐部が、該分岐用入力側光ファイバから入力された信号光のうちの所望の波長の信号光については該上り用出力側光ファイバへ出力する帯域通過フィルタとして機能するとともに、該分岐用入力側光ファイバから入力された信号光のうちの所望の波長とは異なる他の波長の信号光については該下り用出力側光ファイバへ出力する帯域阻止フィルタとして機能する誘電体多層膜フィルタで構成され、
該第３挿入部が、該下り用入力側光ファイバから入力された信号光については該分岐用出力側光ファイバへ出力する光カプラとして機能する誘電体多層膜フィルタで構成されたことを特徴とする光分岐挿入装置が、該光伝送路の分岐点に設けられたことを特徴とする、光分岐挿入装置を有する光伝送システム。
【請求項９】
光ファイバからなる光伝送路を介して相互に接続された複数の端局を有する光伝送システムにおいて、
該光伝送路を介して該端局間で信号光の送受を行なうべく、
該光伝送路を構成する上り用入力側光ファイバから入力された信号光のうちの所望の波長の信号光については該光伝送路を構成する上り用出力側光ファイバへ出力するとともに、該上り用入力側光ファイバから入力された信号光のうちの所望の波長とは異なる他の波長の信号光については該光伝送路を構成する分岐用出力側光ファイバへ出力する第１分岐部と、
該光伝送路を構成する分岐用入力側光ファイバから入力された信号光については該上り用出力側光ファイバへ出力する第１挿入部と、
下り用入力側光ファイバから入力された信号光のうちの所望の波長の信号光については下り用出力側光ファイバへ出力するとともに、該下り用入力側光ファイバから入力された信号光のうちの所望の波長とは異なる他の波長の信号光については該分岐用出力側光ファイバへ出力する第２分岐部と、
該分岐用入力側光ファイバから入力された信号光については該下り用出力側光ファイバへ出力する第２挿入部と、
該分岐用入力側光ファイバから入力された信号光のうちの所望の波長の信号光については該上り用出力側光ファイバへ出力するとともに、該分岐用入力側光ファイバから入力された信号光のうちの所望の波長とは異なる他の波長の信号光については該下り用出力側光ファイバへ出力する第３分岐部と、
該下り用入力側光ファイバから入力された信号光については該分岐用出力側光ファイバへ出力する第３挿入部とをそなえ、
該第１分岐部が、該上り用入力側光ファイバから入力された信号光のうちの所望の波長の信号光については該上り用出力側光ファイバへ出力する帯域通過フィルタとして機能するとともに、該上り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第１挿入部が、該分岐用入力側光ファイバから入力された信号光については該上り用出力側光ファイバへ出力する光カプラとして機能する光合波器で構成され、
該第２分岐部が、該下り用入力側光ファイバから入力された信号光のうちの所望の波長の信号光については該下り用出力側光ファイバへ出力する帯域通過フィルタとして機能するとともに、該下り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、
該第２挿入部が、該分岐用入力側光ファイバから入力された信号光については該下り用出力側光ファイバへ出力する光カプラとして機能する光合波器で構成され、
該第３分岐部が、該分岐用入力側光ファイバから入力された信号光のうちの所望の波長の信号光については該上り用出力側光ファイバへ出力する帯域通過フィルタとして機能するとともに、該分岐用入力側光ファイバから入力された信号光のうちの所望の波長とは異なる他の波長の信号光については該下り用出力側光ファイバへ出力する帯域阻止フィルタとして機能する誘電体多層膜フィルタで構成され、
該第３挿入部が、該下り用入力側光ファイバから入力された信号光については該分岐用出力側光ファイバへ出力する光カプラとして機能する光合波器で構成され、
且つ、該第１挿入部が該第１分岐部の後段に設けられ、該第２挿入部が該第２分岐部の後段に設けられたことを特徴とする光分岐挿入装置が、該光伝送路の分岐点に設けられたことを特徴とする、光分岐挿入装置を有する光伝送システム。
【発明の詳細な説明】
【０００１】
（目次）
発明の属する技術分野
従来の技術（図１５，図１６）
発明が解決しようとする課題（図１５，図１６）
課題を解決するための手段
発明の実施の形態
（ａ）第１実施形態の説明（図１〜図８）
（ａ１）第１実施形態の第１変形例の説明（図９）
（ａ２）第１実施形態の第２変形例の説明（図１０，図１１）
（ｂ）第２実施形態の説明（図１２，図１３）
（ｂ１）第２実施形態の変形例の説明（図１４）
（ｃ）その他
発明の効果
【０００２】
【発明の属する技術分野】
本発明は、複数の端局間で光通信を行なう光伝送システムにおいて、これらの端局を光ファイバからなる光伝送路を分岐させて相互に接続する際に用いて好適な、光分岐挿入装置に関し、更には、このような光分岐挿入装置を有する光伝送システムに関する。
【０００３】
【従来の技術】
従来より、例えば海により隔てられた端局間で信号光の送受を行なうべく、海底に光ファイバケーブルを敷設し、光ファイバケーブルに複数設けられた光増幅器を用いて信号光を多中継増幅する光伝送システムが開発されている。
このような海底における光伝送システムの一例を図１５に示す。
【０００４】
この図１５に示す光伝送システム１００は、複数の端局間で双方向通信を行なうためのものであり、複数の端局として、例えばＡ局１０１，Ｂ局１０２，Ｃ局１０３及びＤ局１０４を有しており、これらのＡ局〜Ｄ局１０１〜１０４は、光分岐挿入装置１０５，１０６を介して、光ファイバからなる光伝送路１０７により相互に接続されている。
【０００５】
即ち、図１５に示すように、Ａ局１０１とＣ局１０３とは光分岐挿入装置１０５を介して、また、Ｂ局１０２とＤ局１０４とは光分岐挿入装置１０６を介してそれぞれ接続されるとともに、Ａ局１０１とＢ局１０２，Ａ局１０１とＤ局１０４，Ｂ局１０２とＣ局１０３，Ｃ局１０３とＤ局１０４とはそれぞれ光分岐挿入装置１０５，１０６を介して接続されている。
【０００６】
また、図１５に示す光分岐挿入装置１０５について、Ａ局１０１，Ｂ局１０２及びＣ局１０３間を接続する光伝送路１０７に着目すると、図１６に示すようになる。
即ち、図１６に示す光分岐挿入装置１０５は、Ａ局１０１，Ｂ局１０２及びＣ局１０３を相互に接続する光伝送路１０７の分岐点に介装され、この光分岐挿入装置１０５を介してＡ局１０１とＢ局１０２，Ａ局１０１とＣ局１０３，Ｃ局１０３とＢ局１０２とがそれぞれ接続されている。
【０００７】
なお、図１５に示す光伝送路１０７には、伝送される信号光を多中継増幅するための光増幅器１０８が複数設けられている。
このような構成により、図１５に示す光伝送システム１００においては、Ａ局〜Ｄ局１０１〜１０４間で相互に信号光の送受が行なわれる。
【０００８】
【発明が解決しようとする課題】
しかしながら、図１５及び図１６に示す光分岐挿入装置１０５や図１５に示す光分岐挿入装置１０６は、各端局間で光伝送路１０７が重複する構成になっているため、このような光分岐挿入装置を用いた光伝送システムにおいては、光伝送システムが有する端局数が増加すると、光伝送路及び光分岐挿入装置の構成が複雑になるという課題があった。
【０００９】
一方において、近年、光波長多重伝送を行なう波長多重（ＷＤＭ）用の光ファイバからなる光伝送路や、ＷＤＭ用の光増幅器の研究開発が進んでおり、このようなＷＤＭ用の光伝送路及び光増幅器を用いた光伝送システムにおいては、複数の波長の信号光を１本の光伝送路により伝送し、伝送された複数の波長の信号光を１つの光増幅器により増幅することができる。
【００１０】
このため、ＷＤＭ用の光伝送システムに適用する光分岐挿入装置として、光伝送路を重複させることなく複数の波長の信号光を伝送したときに、波長により信号光の分岐（分波）や挿入（合波）を行なうことのできる光分岐挿入装置の需要が高まっている。
このような光分岐挿入装置の一例として、マッハツェンダ干渉計の２本のバスにグレーティングが構成されたファイバグレーティングフィルタがあり、このファイバグレーティングフィルタにおいては、グレーティングを所望の波長の信号光を反射するように構成することにより、この波長の信号光の分岐及び挿入を行なうことができるようになっている。
【００１１】
しかしながら、このようなファイバグレーティングフィルタは、光ファイバにより構成されているため、温度変化によりフィルタの特性が変化することがあり、更には、信号光の分岐部及び挿入部を光カプラにより構成しているため、信号光の分岐及び挿入を行なう際の損失が大きいという課題がある。
また、このようなファイバグレーティングフィルタは、一方向通信を行なう光伝送システムに適用されるものであり、双方向通信を行なう光伝送システムにはそのままでは適用できないという課題もある。
【００１２】
本発明は、このような課題に鑑み創案されたもので、光伝送路を重複させない簡素な構成により、信号光を伝送する際における信号光の分岐や挿入を低損失且つ高精度に行なえるようにした、光分岐挿入装置及び光分岐挿入装置を有する光伝送システムを提供することを目的とする。
【００１３】
【課題を解決するための手段】
このため、本発明の光分岐挿入装置は、上り用入力側光ファイバから入力された信号光のうちの所望の波長の信号光については上り用出力側光ファイバへ出力するとともに、該上り用入力側光ファイバから入力された信号光のうちの所望の波長とは異なる他の波長の信号光については分岐用出力側光ファイバへ出力する第１分岐部と、分岐用入力側光ファイバから入力された信号光については該上り用出力側光ファイバへ出力する第１挿入部と、下り用入力側光ファイバから入力された信号光のうちの所望の波長の信号光については下り用出力側光ファイバへ出力するとともに、該下り用入力側光ファイバから入力された信号光のうちの所望の波長とは異なる他の波長の信号光については該分岐用出力側光ファイバへ出力する第２分岐部と、該分岐用入力側光ファイバから入力された信号光については該下り用出力側光ファイバへ出力する第２挿入部と、該分岐用入力側光ファイバから入力された信号光のうちの所望の波長の信号光については該上り用出力側光ファイバへ出力するとともに、該分岐用入力側光ファイバから入力された信号光のうちの所望の波長とは異なる他の波長の信号光については該下り用出力側光ファイバへ出力する第３分岐部と、該下り用入力側光ファイバから入力された信号光については該分岐用出力側光ファイバへ出力する第３挿入部とをそなえ、該第１分岐部が、該上り用入力側光ファイバから入力された信号光のうちの所望の波長の信号光については該上り用出力側光ファイバへ出力する帯域通過フィルタとして機能するとともに、該上り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、該第２分岐部が、該下り用入力側光ファイバから入力された信号光のうちの所望の波長の信号光については該下り用出力側光ファイバへ出力する帯域通過フィルタとして機能するとともに、該下り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、該第３分岐部が、該分岐用入力側光ファイバから入力された信号光のうちの所望の波長の信号光については該上り用出力側光ファイバへ出力する帯域通過フィルタとして機能するとともに、該分岐用入力側光ファイバから入力された信号光のうちの所望の波長とは異なる他の波長の信号光については該下り用出力側光ファイバへ出力する帯域阻止フィルタとして機能する誘電体多層膜フィルタで構成されたことを特徴としている。
【００１４】
また、本発明の光分岐挿入装置は、該上り用入力側光ファイバから入力された信号光のうちの所望の波長の信号光については該第１分岐部及び該第１挿入部を介して該上り用出力側光ファイバへ出力するとともに、該上り用入力側光ファイバから入力された信号光のうちの所望の波長とは異なる他の波長の信号光については該第１分岐部及び該第３挿入部を介して該分岐用出力側光ファイバへ出力し、該分岐用入力側光ファイバから入力された信号光のうちの所望の波長の信号光については該第３分岐部及び該第１挿入部を介して該上り用出力側光ファイバへ出力し、該下り用入力側光ファイバから入力された信号光のうちの所望の波長の信号光については該第２分岐部及び該第２挿入部を介して該下り用出力側光ファイバへ出力するとともに、該下り用入力側光ファイバから入力された信号光のうちの所望の波長とは異なる他の波長の信号光については該第２分岐部及び該第３挿入部を介して該分岐用出力側光ファイバへ出力し、該分岐用入力側光ファイバから入力された信号光のうちの所望の波長とは異なる他の波長の信号光については該第３分岐部及び該第２挿入部を介して該下り用出力側光ファイバへ出力するように構成されたことを特徴としている。
【００１５】
さらに、本発明の光分岐挿入装置は、該第１分岐部が、該上り用入力側光ファイバから入力された信号光のうちの所望の波長の信号光については該上り用出力側光ファイバへ出力する帯域通過フィルタとして機能するとともに、該上り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、該第１挿入部が、該分岐用入力側光ファイバから入力された信号光については該上り用出力側光ファイバへ出力する光カプラとして機能する誘電体多層膜フィルタで構成され、該第２分岐部が、該下り用入力側光ファイバから入力された信号光のうちの所望の波長の信号光については該下り用出力側光ファイバへ出力する帯域通過フィルタとして機能するとともに、該下り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、該第２挿入部が、該分岐用入力側光ファイバから入力された信号光については該下り用出力側光ファイバへ出力する光カプラとして機能する誘電体多層膜フィルタで構成され、該第３分岐部が、該分岐用入力側光ファイバから入力された信号光のうちの所望の波長の信号光については該上り用出力側光ファイバへ出力する帯域通過フィルタとして機能するとともに、該分岐用入力側光ファイバから入力された信号光のうちの所望の波長とは異なる他の波長の信号光については該下り用出力側光ファイバへ出力する帯域阻止フィルタとして機能する誘電体多層膜フィルタで構成され、該第３挿入部が、該下り用入力側光ファイバから入力された信号光については該分岐用出力側光ファイバへ出力する光カプラとして機能する誘電体多層膜フィルタで構成されたことを特徴としている。
【００１６】
また、本発明の光分岐挿入装置は、該第１分岐部が、該上り用入力側光ファイバから入力された信号光のうちの所望の波長の信号光については該上り用出力側光ファイバへ出力する帯域通過フィルタとして機能するとともに、該上り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、該第１挿入部が、該分岐用入力側光ファイバから入力された信号光については該上り用出力側光ファイバへ出力する光カプラとして機能する光合波器で構成され、該第２分岐部が、該下り用入力側光ファイバから入力された信号光のうちの所望の波長の信号光については該下り用出力側光ファイバへ出力する帯域通過フィルタとして機能するとともに、該下り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、該第２挿入部が、該分岐用入力側光ファイバから入力された信号光については該下り用出力側光ファイバへ出力する光カプラとして機能する光合波器で構成され、該第３分岐部が、該分岐用入力側光ファイバから入力された信号光のうちの所望の波長の信号光については該上り用出力側光ファイバへ出力する帯域通過フィルタとして機能するとともに、該分岐用入力側光ファイバから入力された信号光のうちの所望の波長とは異なる他の波長の信号光については該下り用出力側光ファイバへ出力する帯域阻止フィルタとして機能する誘電体多層膜フィルタで構成され、該第３挿入部が、該下り用入力側光ファイバから入力された信号光については該分岐用出力側光ファイバへ出力する光カプラとして機能する光合波器で構成され、且つ、該第１挿入部が該第１分岐部の後段に設けられ、該第２挿入部が該第２分岐部の後段に設けられたことを特徴としてもよい。
【００１７】
さらに、本発明の光分岐挿入装置は、上記第１分岐部及び第１挿入部の両機能をグレーティングフィルタで構成したことを特徴としてもよく、上記第２分岐部及び第２挿入部の両機能をグレーティングフィルタで構成したことを特徴としてもよい。
また、本発明の光分岐挿入装置は、該グレーティングフィルタが導波路型グレーティングフィルタであることを特徴としてもよい。また、本発明に関連する技術の光分岐挿入装置は、該グレーティングフィルタがファイバグレーティングフィルタであることを特徴としてもよい。
【００２０】
さらに、本発明の光分岐挿入装置を有する光伝送システムは、光ファイバからなる光伝送路を介して相互に接続された複数の端局を有する光伝送システムにおいて、該光伝送路を介して該端局間で信号光の送受を行なうべく、該光伝送路を構成する上り用入力側光ファイバから入力された信号光のうちの所望の波長の信号光については該光伝送路を構成する上り用出力側光ファイバへ出力するとともに、該上り用入力側光ファイバから入力された信号光のうちの所望の波長とは異なる他の波長の信号光については該光伝送路を構成する分岐用出力側光ファイバへ出力する第１分岐部と、該光伝送路を構成する分岐用入力側光ファイバから入力された信号光については該上り用出力側光ファイバへ出力する第１挿入部と、該光伝送路を構成する下り用入力側光ファイバから入力された信号光のうちの所望の波長の信号光については該光伝送路を構成する下り用出力側光ファイバへ出力するとともに、該下り用入力側光ファイバから入力された信号光のうちの所望の波長とは異なる他の波長の信号光については該分岐用出力側光ファイバへ出力する第２分岐部と、該分岐用入力側光ファイバから入力された信号光については該下り用出力側光ファイバへ出力する第２挿入部と、該分岐用入力側光ファイバから入力された信号光のうちの所望の波長の信号光については該上り用出力側光ファイバへ出力するとともに、該分岐用入力側光ファイバから入力された信号光のうちの所望の波長とは異なる他の波長の信号光については該下り用出力側光ファイバへ出力する第３分岐部と、該下り用入力側光ファイバから入力された信号光については該分岐用出力側光ファイバへ出力する第３挿入部とをそなえ、該第１分岐部が、該上り用入力側光ファイバから入力された信号光のうちの所望の波長の信号光については該上り用出力側光ファイバへ出力する帯域通過フィルタとして機能するとともに、該上り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、該第２分岐部が、該下り用入力側光ファイバから入力された信号光のうちの所望の波長の信号光については該下り用出力側光ファイバへ出力する帯域通過フィルタとして機能するとともに、該下り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、該第３分岐部が、該分岐用入力側光ファイバから入力された信号光のうちの所望の波長の信号光については該上り用出力側光ファイバへ出力する帯域通過フィルタとして機能するとともに、該分岐用入力側光ファイバから入力された信号光のうちの所望の波長とは異なる他の波長の信号光については該下り用出力側光ファイバへ出力する帯域阻止フィルタとして機能する誘電体多層膜フィルタで構成された光分岐挿入装置が、該光伝送路の分岐点に設けられたことを特徴としている。
また、本発明の光分岐挿入装置を有する光伝送システムは、光ファイバからなる光伝送路を介して相互に接続された複数の端局を有する光伝送システムにおいて、該光伝送路を介して該端局間で信号光の送受を行なうべく、該光伝送路を構成する上り用入力側光ファイバから入力された信号光のうちの所望の波長の信号光については該光伝送路を構成する上り用出力側光ファイバへ出力するとともに、該上り用入力側光ファイバから入力された信号光のうちの所望の波長とは異なる他の波長の信号光については該光伝送路を構成する分岐用出力側光ファイバへ出力する第１分岐部と、該光伝送路を構成する分岐用入力側光ファイバから入力された信号光については該上り用出力側光ファイバへ出力する第１挿入部と、下り用入力側光ファイバから入力された信号光のうちの所望の波長の信号光については下り用出力側光ファイバへ出力するとともに、該下り用入力側光ファイバから入力された信号光のうちの所望の波長とは異なる他の波長の信号光については該分岐用出力側光ファイバへ出力する第２分岐部と、該分岐用入力側光ファイバから入力された信号光については該下り用出力側光ファイバへ出力する第２挿入部と、該分岐用入力側光ファイバから入力された信号光のうちの所望の波長の信号光については該上り用出力側光ファイバへ出力するとともに、該分岐用入力側光ファイバから入力された信号光のうちの所望の波長とは異なる他の波長の信号光については該下り用出力側光ファイバへ出力する第３分岐部と、該下り用入力側光ファイバから入力された信号光については該分岐用出力側光ファイバへ出力する第３挿入部とをそなえ、該第１分岐部が、該上り用入力側光ファイバから入力された信号光のうちの所望の波長の信号光については該上り用出力側光ファイバへ出力する帯域通過フィルタとして機能するとともに、該上り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、該第１挿入部が、該分岐用入力側光ファイバから入力された信号光については該上り用出力側光ファイバへ出力する光カプラとして機能する誘電体多層膜フィルタで構成され、該第２分岐部が、該下り用入力側光ファイバから入力された信号光のうちの所望の波長の信号光については該下り用出力側光ファイバへ出力する帯域通過フィルタとして機能するとともに、該下り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、該第２挿入部が、該分岐用入力側光ファイバから入力された信号光については該下り用出力側光ファイバへ出力する光カプラとして機能する誘電体多層膜フィルタで構成され、該第３分岐部が、該分岐用入力側光ファイバから入力された信号光のうちの所望の波長の信号光については該上り用出力側光ファイバへ出力する帯域通過フィルタとして機能するとともに、該分岐用入力側光ファイバから入力された信号光のうちの所望の波長とは異なる他の波長の信号光については該下り用出力側光ファイバへ出力する帯域阻止フィルタとして機能する誘電体多層膜フィルタで構成され、該第３挿入部が、該下り用入力側光ファイバから入力された信号光については該分岐用出力側光ファイバへ出力する光カプラとして機能する誘電体多層膜フィルタで構成された光分岐挿入装置が、該光伝送路の分岐点に設けられたことを特徴としている。
さらに、本発明の光分岐挿入装置を有する光伝送システムは、光ファイバからなる光伝送路を介して相互に接続された複数の端局を有する光伝送システムにおいて、該光伝送路を介して該端局間で信号光の送受を行なうべく、該光伝送路を構成する上り用入力側光ファイバから入力された信号光のうちの所望の波長の信号光については該光伝送路を構成する上り用出力側光ファイバへ出力するとともに、該上り用入力側光ファイバから入力された信号光のうちの所望の波長とは異なる他の波長の信号光については該光伝送路を構成する分岐用出力側光ファイバへ出力する第１分岐部と、該光伝送路を構成する分岐用入力側光ファイバから入力された信号光については該上り用出力側光ファイバへ出力する第１挿入部と、下り用入力側光ファイバから入力された信号光のうちの所望の波長の信号光については下り用出力側光ファイバへ出力するとともに、該下り用入力側光ファイバから入力された信号光のうちの所望の波長とは異なる他の波長の信号光については該分岐用出力側光ファイバへ出力する第２分岐部と、該分岐用入力側光ファイバから入力された信号光については該下り用出力側光ファイバへ出力する第２挿入部と、該分岐用入力側光ファイバから入力された信号光のうちの所望の波長の信号光については該上り用出力側光ファイバへ出力するとともに、該分岐用入力側光ファイバから入力された信号光のうちの所望の波長とは異なる他の波長の信号光については該下り用出力側光ファイバへ出力する第３分岐部と、該下り用入力側光ファイバから入力された信号光については該分岐用出力側光ファイバへ出力する第３挿入部とをそなえ、該第１分岐部が、該上り用入力側光ファイバから入力された信号光のうちの所望の波長の信号光については該上り用出力側光ファイバへ出力する帯域通過フィルタとして機能するとともに、該上り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、該第１挿入部が、該分岐用入力側光ファイバから入力された信号光については該上り用出力側光ファイバへ出力する光カプラとして機能する光合波器で構成され、該第２分岐部が、該下り用入力側光ファイバから入力された信号光のうちの所望の波長の信号光については該下り用出力側光ファイバへ出力する帯域通過フィルタとして機能するとともに、該下り用入力側光ファイバから入力された信号光のうちの所望の波長とは異なる他の波長の信号光については該分岐用出力側光ファイバへ出力する帯域阻止フィルタとして機能する誘電体多層膜フィルタで構成され、該第２挿入部が、該分岐用入力側光ファイバから入力された信号光については該下り用出力側光ファイバへ出力する光カプラとして機能する光合波器で構成され、該第３分岐部が、該分岐用入力側光ファイバから入力された信号光のうちの所望の波長の信号光については該上り用出力側光ファイバへ出力する帯域通過フィルタとして機能するとともに、該分岐用入力側光ファイバから入力された信号光のうちの所望の波長とは異なる他の波長の信号光については該下り用出力側光ファイバへ出力する帯域阻止フィルタとして機能する誘電体多層膜フィルタで構成され、該第３挿入部が、該下り用入力側光ファイバから入力された信号光については該分岐用出力側光ファイバへ出力する光カプラとして機能する光合波器で構成され、且つ、該第１挿入部が該第１分岐部の後段に設けられ、該第２挿入部が該第２分岐部の後段に設けられた光分岐挿入装置が、該光伝送路の分岐点に設けられたことを特徴としている。
【００２３】
【発明の実施の形態】
以下、図面を参照して本発明の実施の形態を説明する。
（ａ）第１実施形態の説明
図１は本発明の第１実施形態にかかる光分岐挿入装置を示すブロック図である。
【００２４】
この図１に示す光分岐挿入装置４は、図２に示すような光伝送システム１０において、複数の端局（図２においてはＡ局１，Ｂ局２及びＣ局３）を相互に接続した光伝送路５の分岐点に設けられ、この光伝送路５を介してこれらの端局１〜３から入力された所望の波長の信号光を所望の端局１〜３へ出力することにより、複数の端局間で信号光の伝送を行なえるようにするものである。
【００２５】
なお、図２に示す光伝送路５は光ファイバで構成され、更にこの光伝送路５には、伝送される信号光を多中継増幅するための光増幅器６が複数設けられている。
ここで、光分岐挿入装置４は、図１に示すように、第１分岐部１１−１，第１挿入部１１−２，第２分岐部１２−１，第２挿入部１２−２，第３分岐部１３−１及び第３挿入部１３−２をそなえている。
【００２６】
第１分岐部１１−１は、上り用入力側光ファイバ１４−１から信号光が入力されると、入力された信号光のうちの所望の波長の信号光については光ファイバ１４−３を介して第１挿入部１１−２へ出力するとともに、入力された信号光のうちの所望の波長とは異なる他の波長の信号光については光ファイバ１４−４を介して第３挿入部１３−２へ出力するものである。
【００２７】
即ち、第１分岐部１１−１は、図３（ａ）に示すように、上り用入力側光ファイバ１４−１からポート１を通じて入力された信号光のうちの所望の波長の信号光については、ポート２を通じ光ファイバ１４−３及び第１挿入部１１−２を介して上り用出力側光ファイバ１４−２へ出力する帯域通過フィルタ（バンドパスフィルタ）として機能するとともに、上り用入力側光ファイバ１４−１からポート１を通じて入力された信号光のうちの所望の波長とは異なる他の波長の信号光については、ポート３を通じ光ファイバ１４−４及び第３挿入部１３−２を介して分岐用出力側光ファイバ１６−２へ出力する帯域阻止フィルタ（ノッチフィルタ）として機能する誘電体多層膜フィルタで構成されている。なお、この誘電体多層膜フィルタについての詳細な説明は後述する。
【００２８】
また、第１挿入部１１−２は、分岐用入力側光ファイバ１６−１から第３分岐部１３−１及び光ファイバ１４−５を介して入力された信号光については、第１分岐部１１−１から光ファイバ１４−３を介して入力された信号光と合波して、上り用出力側光ファイバ１４−２へ出力するものである。
即ち、第１挿入部１１−２は、図３（ｂ）に示すように、光ファイバ１４−３からポート２を通じて入力された信号光については、ポート１を通じて上り用出力側光ファイバ１４−２へ出力する帯域通過フィルタ（バンドパスフィルタ）として機能するとともに、分岐用入力側光ファイバ１６−１から第３分岐部１３−１及び光ファイバ１４−５を介してポート３を通じて入力された信号光については、ポート１を通じて上り用出力側光ファイバ１４−２へ出力する帯域阻止フィルタ（ノッチフィルタ）として機能する誘電体多層膜フィルタで構成されている。
【００２９】
これにより、第１挿入部１１−２は、ポート２から入力された信号光とポート３から入力された信号光とを合波して、ポート１へ出力する光カプラとして機能するのである。
なお、図３（ａ）及び図３（ｂ）に示す誘電体多層膜フィルタは、それぞれ可逆特性を有するものであるため、本実施形態にかかる光分岐挿入装置４においては、第１分岐部１１−１と第１挿入部１１−２とを同型の誘電体多層膜フィルタで構成することができる。
【００３０】
第２分岐部１２−１は、下り用入力側光ファイバ１５−１から信号光が入力されると、入力された信号光のうちの所望の波長の信号光については光ファイバ１５−３を介して第２挿入部１２−２へ出力するとともに、入力された信号光のうちの所望の波長とは異なる他の波長の信号光については光ファイバ１５−４を介して第３挿入部１３−２へ出力するものである。
【００３１】
即ち、第２分岐部１２−１は、下り用入力側光ファイバ１５−１から入力された信号光のうちの所望の波長の信号光については、光ファイバ１５−３及び第２挿入部１２−２を介して下り用出力側光ファイバ１５−２へ出力する帯域通過フィルタとして機能するとともに、下り用入力側光ファイバ１５−２から入力された信号光のうちの所望の波長とは異なる他の波長の信号光については、光ファイバ１５−４及び第３挿入部１３−２を介して分岐用出力側光ファイバ１６−２へ出力する帯域阻止フィルタとして機能する誘電体多層膜フィルタで構成されている。
【００３２】
第２挿入部１２−２は、分岐用入力側光ファイバ１６−１から第３分岐部１３−１及び光ファイバ１５−５を介して入力された信号光については、第２分岐部１２−１から光ファイバ１５−３を介して入力された信号光と合波して、下り用出力側光ファイバ１５−２へ出力するものである。
即ち、第２挿入部１２−２は、分岐用入力側光ファイバ１６−１から入力された信号光については下り用出力側光ファイバ１５−２へ出力する光カプラとして機能する誘電体多層膜フィルタで構成されている。
【００３３】
第３分岐部１３−１は、分岐用入力側光ファイバ１６−１から信号光が入力されると、入力された信号光のうちの所望の波長の信号光については光ファイバ１４−５を介して第１挿入部１１−２へ出力するとともに、入力された信号光のうちの所望の波長とは異なる他の波長の信号光については光ファイバ１５−５を介して第２挿入部１２−２へ出力するものである。
【００３４】
即ち、第３分岐部１３−１は、分岐用入力側光ファイバ１６−１から入力された信号光のうちの所望の波長の信号光については、光ファイバ１４−５及び第１挿入部１１−２を介して上り用出力側光ファイバ１４−２へ出力する帯域通過フィルタとして機能するとともに、分岐用入力側光ファイバ１６−１から入力された信号光のうちの所望の波長とは異なる他の波長の信号光については、光ファイバ１５−５及び第２挿入部１２−２を介して下り用出力側光ファイバ１５−２へ出力する帯域阻止フィルタとして機能する誘電体多層膜フィルタで構成されている。
【００３５】
第３挿入部１３−２は、下り用入力側光ファイバ１５−１から第２分岐部１２−１及び光ファイバ１５−４を介して入力された信号光については、第１分岐部１１−１から光ファイバ１４−４を介して入力された信号光と合波して、分岐用出力側光ファイバ１６−２へ出力するものである。
即ち、第３挿入部１３−２は、下り用入力側光ファイバ１５−１から入力された信号光については分岐用出力側光ファイバ１６−２へ出力する光カプラとして機能する誘電体多層膜フィルタで構成されている。
【００３６】
なお、本実施形態にかかる光分岐挿入装置４においては、上述した第２，第３分岐部１２−１，１３−１をそれぞれ構成する誘電体多層膜フィルタとしても、図３（ａ）に示すような第１分岐部１１−１を構成するものと同型の誘電体多層膜フィルタが用いられている。
また、第２，第３挿入部１２−２，１３−２をそれぞれ構成する誘電体多層膜フィルタとしても、図３（ｂ）に示すような第１挿入部１１−２を構成するものと同型の誘電体多層膜フィルタが用いられている。
【００３７】
このように、本実施形態にかかる光分岐挿入装置４が、誘電体多層膜フィルタを用いて構成されることにより、１本の光ファイバにより伝送された複数の波長の信号光を波長により分岐したり、１本の光ファイバにより伝送された複数の波長の信号光に所望の波長の信号光を挿入したりすることができるようになる。
このため、従来の光分岐挿入装置では光ファイバからなる光伝送路を各端局間で重複させていたのに対して（図１６を参照）、本実施形態にかかる光分岐挿入装置４では、図８に示すように光ファイバからなる光伝送路を各端局間で重複させずに簡素に構成することができるのである。なお、図８において、図１と同じ符号を付したものは、同様の構成及び機能を有するものである。
【００３８】
ここで、前述した誘電体多層膜フィルタについて説明する。
この誘電体多層膜フィルタは、図３（ａ），図３（ｂ）に示すような３ポート型の光フィルタとして構成されており、例えば、図３（ａ）に示す誘電体多層膜フィルタは、ポート１とポート２との間では図６に示すような中心波長１５５８ｎｍの帯域通過フィルタの波長特性を有するとともに、ポート１とポート３との間では図７に示すような中心波長１５５８ｎｍの帯域阻止フィルタの波長特性を有するものである。なお、図６，図７は、信号光の波長とその波長における信号光の挿入損失との関係を示すものである。
【００３９】
この誘電体多層膜フィルタにポート１から信号光が入力されると、波長１５５８ｎｍの信号光はポート２へ出力されるとともに、波長１５５８ｎｍ以外の信号光はポート３へ出力されることにより、波長による信号光の分岐が行なわれる。なお、この誘電体多層膜フィルタにおいては、信号光の挿入も同時に行なわれる。
【００４０】
このような信号光の分岐及び挿入は、光カプラによっても行なうことが可能であるが、光カプラは信号光の分岐及び挿入を行なう際の損失が大きいため、このような光カプラを用いて光分岐挿入装置を構成すると、光分岐挿入装置を介して伝送される信号光の損失も大きくなる。
そこで、本実施形態においては、光カプラより信号光の損失が小さいフィルタである誘電体多層膜フィルタを用いて光分岐挿入装置４を構成することにより、光分岐挿入装置４を介して伝送される信号光の損失を小さくしているのである。
【００４１】
具体的には、誘電体多層膜フィルタは、図５に示すように、レンズ１８−１〜１８−３及び誘電体多層膜１９をそなえて構成されている。なお、２０は光ファイバである。
ここで、レンズ１８−１〜１８−３は、信号光の集光性を高めるために光ファイバ２０にそれぞれ装着されるコリメートレンズであり、誘電体多層膜１９は、入力された信号光の波長により、信号光を透過する帯域通過フィルタとしての機能や、信号光を反射する帯域阻止フィルタとしての機能を実際に有するものである。
【００４２】
この誘電体多層膜フィルタ１７を、第１〜第３分岐部１１−１〜１３−１として用いた場合には、信号光をポート１から入力し、分岐された信号光をポート３から出力し、分岐された信号光以外の信号光をポート２から出力するようになっている。
また、この誘電体多層膜フィルタ１７を、第１〜第３挿入部１１−２〜１３−２として用いた場合には、信号光をポート２から入力し、挿入される信号光をポート３から入力し、入力された信号光と挿入された信号光とが合波された信号光をポート１から出力するようになっている。
【００４３】
このような誘電体多層膜フィルタ１７を用いた信号光の分岐及び挿入にかかる動作を、更に図４を用いて説明する。
この図４は、信号光の分岐を行なう分岐部及び信号光の挿入を行なう挿入部として、それぞれ第１分岐部１１−１及び第１挿入部１１−２を例にあげ、第１分岐部１１−１及び第１挿入部１１−２における信号光の分岐及び挿入を示したものである。
【００４４】
この図４に示すように、上り用入力側光ファイバ１４−１から第１分岐部１１−１のポート１へ信号光λA1〜λA6が入力されると、第１分岐部１１−１では、信号光λA2〜λA5については第１分岐部１１−１のポート２から光ファイバ１４−３へ出力し、信号光λA1，λA6については分岐して第１分岐部１１−１のポート３から分岐用出力側光ファイバ１６−２へ出力する。
【００４５】
続いて、光ファイバ１４−３から第１挿入部１１−２のポート２へ信号光λA2〜λA5が入力されるとともに、分岐用入力側光ファイバ１６−１から第１挿入部１１−２のポート３へ挿入すべき信号光λB1，λB6が入力されると、第１挿入部１１−２では、信号光λA2〜λA5と信号光λB1，λB6とを合波して第１挿入部１１−２のポート１から上り用出力側光ファイバ１４−２へ出力する。
【００４６】
なお、第２分岐部１２−１及び第２挿入部１２−２や、第３分岐部１３−１及び第３挿入部１３−２においても、第１分岐部１１−１及び第１挿入部１１−２における場合と同様に信号光の分岐及び挿入が行なわれる。
上述の構成により、本実施形態にかかる光分岐挿入装置４においては、上り用入力側光ファイバ１４−１から信号光が入力されると、入力された信号光のうちの所望の波長の信号光については第１分岐部１１−１及び第１挿入部１１−２を介して上り用出力側光ファイバ１４−２へ出力するとともに、入力された信号光のうちの所望の波長とは異なる他の波長の信号光については第１分岐部１１−１及び第３挿入部１３−２を介して分岐用出力側光ファイバ１６−２へ出力する。
【００４７】
また、分岐用入力側光ファイバ１６−１から入力された信号光のうちの所望の波長の信号光については第３分岐部１３−１及び第１挿入部１１−２を介して上り用出力側光ファイバ１４−２へ出力する。
さらに、下り用入力側光ファイバ１５−１から信号光が入力されると、入力された信号光のうちの所望の波長の信号光については第２分岐部１２−１及び第２挿入部１２−２を介して下り用出力側光ファイバ１５−２へ出力するとともに、入力された信号光のうちの所望の波長とは異なる他の波長の信号光については第２分岐部１２−１及び第３挿入部１３−２を介して分岐用出力側光ファイバ１６−２へ出力する。
【００４８】
また、分岐用入力側光ファイバ１６−１から入力された信号光のうちの所望の波長とは異なる他の波長の信号光については第３分岐部１３−１及び第２挿入部１２−２を介して下り用出力側光ファイバ１５−２へ出力する。
このように、本実施形態にかかる光分岐挿入装置は、それぞれ誘電体多層膜フィルタ１７で構成された第１〜第３分岐部１１−１〜１３−１及び第１〜第３挿入部１１−２〜１３−２をそなえることにより、光ファイバからなる光伝送路の構成を簡素にしながら、信号光を伝送する際における信号光の分岐や挿入を低損失且つ高精度に行なうことができる。
【００４９】
これにより、例えば海底光通信のような長距離通信を行なう光伝送システムに、本実施形態にかかる光分岐挿入装置４を適用した場合には、海底に敷設される光ファイバケーブルの本数を減少させて、大幅なコストの低廉化を図ることができる。
また、本実施形態にかかる光分岐挿入装置４においては、受動型の光フィルタである誘電体多層膜フィルタを用いているため、電圧を印加しないで信号光の分岐及び挿入を行なうことができ、海底光通信を行なう光伝送システムにおいても安定に動作することができる。
（ａ１）第１実施形態の第１変形例の説明
図９は本発明の第１実施形態の第１変形例にかかる光分岐挿入装置を示すブロック図であるが、この図９に示す光分岐挿入装置４Ａにおいても、前述の第１実施形態におけるものと同様に、複数の端局を相互に接続した光伝送路の分岐点に設けられ、光伝送路を介してこれらの端局間で信号光の伝送を行なえるようにするものである。
【００５０】
ここで、図９に示す光分岐挿入装置４Ａは、第１分岐部１１−１，第１挿入部１１′−２，第２分岐部１２−１，第２挿入部１２′−２，第３分岐部１３−１及び第３挿入部１３′−２をそなえている。
第１〜第３分岐部１１−１〜１３−１は、第１実施形態における第１〜第３分岐部１１−１〜１３−１と同様にそれぞれ誘電体多層膜フィルタで構成され、第１実施形態における第１〜第３分岐部１１−１〜１３−１と同様の機能を有するものである。
【００５１】
第１〜第３挿入部１１′−２〜１３′−２は、第１実施形態における第１〜第３挿入部１１−２〜１３−２と同様の機能を有するものであるが、第１実施形態における第１〜第３挿入部１１−２〜１３−２とは異なりそれぞれ光合波器（この光合波器としては例えば融着型の光カプラを用いることができる）で構成されている。なお、この第１，第２挿入部１１′−２，１２′−２は、それぞれ第１，第２分岐部１１−１，１２−１の後段に設けられている。
【００５２】
上述の構成により、第１実施形態の第１変形例にかかる光分岐挿入装置４Ａにおいても、第１実施形態にかかる光分岐挿入装置４と同様に、上り用入力側光ファイバ１４−１から信号光が入力されると、入力された信号光のうちの所望の波長の信号光については第１分岐部１１−１及び第１挿入部１１′−２を介して上り用出力側光ファイバ１４−２へ出力するとともに、入力された信号光のうちの所望の波長とは異なる他の波長の信号光については第１分岐部１１−１及び第３挿入部１３′−２を介して分岐用出力側光ファイバ１６−２へ出力する。
【００５３】
また、分岐用入力側光ファイバ１６−１から入力された信号光のうちの所望の波長の信号光については第３分岐部１３−１及び第１挿入部１１′−２を介して上り用出力側光ファイバ１４−２へ出力する。
さらに、下り用入力側光ファイバ１５−１から信号光が入力されると、入力された信号光のうちの所望の波長の信号光については第２分岐部１２−１及び第２挿入部１２′−２を介して下り用出力側光ファイバ１５−２へ出力するとともに、入力された信号光のうちの所望の波長とは異なる他の波長の信号光については第２分岐部１２−１及び第３挿入部１３′−２を介して分岐用出力側光ファイバ１６−２へ出力する。
【００５４】
また、分岐用入力側光ファイバ１６−１から入力された信号光のうちの所望の波長とは異なる他の波長の信号光については第３分岐部１３−１及び第２挿入部１２′−２を介して下り用出力側光ファイバ１５−２へ出力する。
このように、第１実施形態の第１変形例にかかる光分岐挿入装置４Ａは、それぞれ誘電体多層膜フィルタ１７で構成された第１〜第３分岐部１１−１〜１３−１と、それぞれ光合波器で構成された第１〜第３挿入部１１′−２〜１３′−２とをそなえることにより、第１実施形態にかかる光分岐挿入装置４と同様の利点がある。
【００５５】
また、第１実施形態の第１変形例にかかる光分岐挿入装置４Ａは、第１〜第３挿入部１１′−２〜１３′−２がそれぞれ光合波器で構成されることにより、第１実施形態にかかる光分岐挿入装置４よりも信号光の損失は若干大きくなるが、光分岐挿入装置４Ａの構成を簡素にすることができる。
（ａ２）第１実施形態の第２変形例の説明
図１０は本発明の第１実施形態の第２変形例にかかる光分岐挿入装置を示すブロック図であるが、この図１０に示す光分岐挿入装置４Ｂにおいても、前述の第１実施形態におけるものと同様に、複数の端局を相互に接続した光伝送路の分岐点に設けられ、光伝送路を介してこれらの端局間で信号光の伝送を行なえるようにするものである。
【００５６】
ここで、図１０に示す光分岐挿入装置４Ｂは、第１分岐挿入部２１，第２分岐挿入部２２，第３分岐部１３−１及び第３挿入部１３−２をそなえている。
第３分岐部１３−１及び第３挿入部１３−２は、第１実施形態における第３分岐部１３−１及び第３挿入部１３−２と同様にそれぞれ誘電体多層膜フィルタで構成され、第１実施形態における第３分岐部１３−１及び第３挿入部１３−２と同様の機能を有するものである。なお、第３挿入部１３−２は、第１実施形態の第１変形例における第３挿入部１３′−２と同様に光合波器で構成してもよい。
【００５７】
第１分岐挿入部２１及び第２分岐挿入部２２は、複数の波長の信号光が入力されると、波長により信号光の分岐や挿入を行なうものであり、図１１に示すようなファイバグレーティングフィルタで構成される。
ここで、ファイバグレーティングフィルタとは、図１１に示すように、マッハツェンダ干渉計２３の２本のバスに、ＵＶ露光（ＵＶトリミング２７）により、所望の波長の信号光を反射するグレーティング２４が構成されたものである。
【００５８】
また、このファイバグレーティングフィルタは、それぞれ光カプラで構成された分岐部２５及び挿入部２６をそなえている。
ファイバグレーティングフィルタにおいて、例えばブラッグ波長λB のグレーティング２４が構成された場合には、ポート１から複数の波長の信号光λA 〜λD が入力されると、分岐部２５では、信号光λA ，λC ，λD はポート４に出力される一方、信号光λB はグレーティング２４で反射することにより分岐されてポート２に出力される。
【００５９】
続いて、ポート３から信号光λB が入力されると、挿入部２６では、信号光λB は信号光λA ，λC ，λD と合波されてポート４に出力される。
上述の構成により、第１実施形態の第２変形例にかかる光分岐挿入装置４Ｂにおいても、第１実施形態にかかる光分岐挿入装置４と同様に、上り用入力側光ファイバ１４−１から信号光が入力されると、入力された信号光のうちの所望の波長の信号光については第１分岐挿入部２１を介して上り用出力側光ファイバ１４−２へ出力するとともに、入力された信号光のうちの所望の波長とは異なる他の波長の信号光については第１分岐挿入部２１及び第３挿入部１３−２を介して分岐用出力側光ファイバ１６−２へ出力する。
【００６０】
また、分岐用入力側光ファイバ１６−１から入力された信号光のうちの所望の波長の信号光については第３分岐部１３−１及び第１分岐挿入部２１を介して上り用出力側光ファイバ１４−２へ出力する。
さらに、下り用入力側光ファイバ１５−１から信号光が入力されると、入力された信号光のうちの所望の波長の信号光については第２分岐挿入部２２を介して下り用出力側光ファイバ１５−２へ出力するとともに、入力された信号光のうちの所望の波長とは異なる他の波長の信号光については第２分岐挿入部２２及び第３挿入部１３−２を介して分岐用出力側光ファイバ１６−２へ出力する。
【００６１】
また、分岐用入力側光ファイバ１６−１から入力された信号光のうちの所望の波長とは異なる他の波長の信号光については第３分岐部１３−１及び第２分岐挿入部２２を介して下り用出力側光ファイバ１５−２へ出力する。
このように、第１実施形態の第２変形例にかかる光分岐挿入装置４Ｂは、それぞれファイバグレーティングフィルタで構成された第１，第２分岐挿入部２１，２２と、それぞれ誘電体多層膜フィルタで構成された第３分岐部１３−１及び第３挿入部１３−２とをそなえることにより、第１実施形態にかかる光分岐挿入装置４と同様の利点がある。
【００６２】
また、第１実施形態の第２変形例にかかる光分岐挿入装置４Ｂは、第１，第２分岐挿入部２１，２２がそれぞれファイバグレーティングフィルタで構成されることにより、第１実施形態にかかる光分岐挿入装置４よりも信号光の損失は若干大きくなるが、光分岐挿入装置４Ｂの構成を簡素にすることができる。
なお、第１分岐挿入部２１及び第２分岐挿入部２２を、ファイバグレーティングフィルタにおける光ファイバ部分を光導波路により構成した導波路型グレーティングフィルタで構成してもよく、この場合においても、第１実施形態にかかる光分岐挿入装置４よりも信号光の損失は若干大きくなるが、光分岐挿入装置４Ｂの構成を簡素にすることができる。
（ｂ）第２実施形態の説明
図１２は本発明の第２実施形態にかかる光分岐挿入装置を示すブロック図である。
【００６３】
この図１２に示す光分岐挿入装置４Ｃは、図１３に示すような光伝送システム１０′において、複数の端局（図１３においてはＡ局１′，Ｂ局２′及びＣ局３′）を相互に接続した光伝送路５′の分岐点に設けられ、この光伝送路５′を介してこれらの端局１′〜３′から入力された所望の波長の信号光を所望の端局１′〜３′へ出力することにより、複数の端局間で信号光の伝送を行なえるようにするものである。
【００６４】
なお、図１３に示す光伝送路５′は光ファイバで構成され、更にこの光伝送路５′には、伝送される信号光を多中継増幅するための光増幅器６′が複数設けられている。
ここで、光分岐挿入装置４Ｃは、図１２に示すように、分岐部３１−１及び挿入部３１−２をそなえている。
【００６５】
分岐部３１−１は、入力側光ファイバ３２−１から信号光が入力されると、入力された信号光のうちの所望の波長の信号光については光ファイバ３２−３を介して挿入部３１−２へ出力するとともに、入力された信号光のうちの所望の波長とは異なる他の波長の信号光については分岐用出力側光ファイバ３２−４へ出力するものである。
【００６６】
即ち、分岐部３１−１は、入力側光ファイバ３２−１からポート１を通じて入力された信号光のうちの所望の波長の信号光については、ポート２を通じ光ファイバ３２−３及び挿入部３１−２を介して出力側光ファイバ３２−２へ出力する帯域通過フィルタ（バンドパスフィルタ）として機能するとともに、入力側光ファイバ３２−１からポート１を通じて入力された信号光のうちの所望の波長とは異なる他の波長の信号光については、ポート３を通じて分岐用出力側光ファイバ３２−４へ出力する帯域阻止フィルタ（ノッチフィルタ）として機能する誘電体多層膜フィルタで構成されている。
【００６７】
また、挿入部３１−２は、分岐用入力側光ファイバ３２−５から入力された信号光については、分岐部３１−１から光ファイバ３２−３を介して入力された信号光と合波して、出力側光ファイバ３２−２へ出力するものである。
即ち、挿入部３１−２は、光ファイバ３２−３からポート２を通じて入力された信号光については、ポート１を通じて出力側光ファイバ３２−２へ出力する帯域通過フィルタ（バンドパスフィルタ）として機能するとともに、分岐用入力側光ファイバ３２−５からポート３を通じて入力された信号光については、ポート１を通じて出力側光ファイバ３２−２へ出力する帯域阻止フィルタ（ノッチフィルタ）として機能する誘電体多層膜フィルタで構成されている。
【００６８】
これにより、挿入部３１−２は、ポート２から入力された信号光とポート３から入力された信号光とを合波して、ポート１へ出力する光カプラとして機能するのである。
なお、分岐部３１−１を構成する誘電体多層膜フィルタとしては、図３（ａ）に示すものと同様の誘電体多層膜フィルタが用いられており、挿入部３１−２を構成する誘電体多層膜フィルタとしては、図３（ｂ）に示すものと同様の誘電体多層膜フィルタが用いられている。
【００６９】
また、図３（ａ）及び図３（ｂ）に示す誘電体多層膜フィルタは、それぞれ可逆特性を有するものであるため、本実施形態にかかる光分岐挿入装置４Ｃにおいては、第１分岐部３１−１と挿入部３１−２とを同型の誘電体多層膜フィルタで構成することができる。
このように本実施形態にかかる光分岐挿入装置４Ｃが、誘電体多層膜フィルタを用いて構成されることにより、１本の光ファイバにより伝送された複数の波長の信号光を波長により分岐したり、１本の光ファイバにより伝送された複数の波長の信号光に所望の波長の信号光を挿入したりすることができるようになる。
【００７０】
このため、従来の光分岐挿入装置では光ファイバからなる光伝送路を各端局間で重複させていたのに対して、光伝送路を各端局間で重複させずに簡素に構成することができるのである。
上述の構成により、本実施形態にかかる光分岐挿入装置４Ｃにおいては、入力側光ファイバ３２−１から信号光が入力されると、入力された信号光のうちの所望の波長の信号光については光ファイバ３２−３及び挿入部３１−２を介して出力側光ファイバ３２−２へ出力するとともに、入力された信号光のうちの所望の波長とは異なる他の波長の信号光については分岐用出力側光ファイバ３２−４へ出力する。
【００７１】
また、分岐用入力側光ファイバ３２−５から入力された信号光については出力側光ファイバ３２−２へと出力する。
このように、本実施形態にかかる光分岐挿入装置は、誘電体多層膜フィルタで構成された分岐部３１−１及び挿入部３１−２をそなえることにより、光ファイバからなる光伝送路の構成を簡素にしながら、信号光を伝送する際における信号光の分岐や挿入を低損失且つ高精度に行なうことができる。
【００７２】
これにより、例えば海底光通信のような長距離通信を行なう光伝送システムに、本実施形態にかかる光分岐挿入装置４Ｃを適用した場合には、海底に敷設される光ファイバケーブルの本数を減少させて、大幅なコストの低廉化を図ることができる。
また、本実施形態にかかる光分岐挿入装置４Ｃにおいては、受動型の光フィルタである誘電体多層膜フィルタを用いているため、電圧を印加しないで信号光の分岐及び挿入を行なうことができ、海底光通信を行なう光伝送システムにおいても安定に動作することができる。
（ｂ１）第２実施形態の変形例の説明
図１４は本発明の第２実施形態の変形例にかかる光分岐挿入装置を示すブロック図であるが、この図１４に示す光分岐挿入装置４Ｄにおいても、前述の第２実施形態におけるものと同様に、複数の端局を相互に接続した光伝送路の分岐点に設けられ、光伝送路を介してこれらの端局間で信号光の伝送を行なえるようにするものである。
【００７３】
ここで、図１４に示す光分岐挿入装置４Ｄは、分岐部３１−１及び挿入部３１′−２をそなえている。
分岐部３１−１は、第２実施形態における分岐部３１−１と同様に誘電体多層膜フィルタで構成され、第２実施形態における分岐部３１−１と同様の機能を有するものである。
【００７４】
挿入部３１′−２は、第２実施形態における挿入部３１−２と同様の機能を有するものであるが、第２実施形態における挿入部３１−２とは異なりそれぞれ光合波器（この光合波器としては例えば融着型の光カプラを用いることができる）で構成されている。なお、この挿入部３１′−２は、分岐部３１−１の後段に設けられている。
【００７５】
上述の構成により、第２実施形態の変形例にかかる光分岐挿入装置４Ｄにおいても、第２実施形態にかかる光分岐挿入装置４Ｃと同様に、入力側光ファイバ３２−１から信号光が入力されると、入力された信号光のうちの所望の波長の信号光については光ファイバ３２−３及び挿入部３１′−２を介して出力側光ファイバ３２−２へ出力するとともに、入力された信号光のうちの所望の波長とは異なる他の波長の信号光については分岐用出力側光ファイバ３２−４へ出力する。
【００７６】
また、分岐用入力側光ファイバ３２−５から入力された信号光については出力側光ファイバ３２−２へと出力する。
このように、第２実施形態の変形例にかかる光分岐挿入装置４Ｄは、誘電体多層膜フィルタで構成された分岐部３１−１と、光合波器で構成された挿入部３１′−２とをそなえることにより、第２実施形態にかかる光分岐挿入装置４Ｃと同様の利点がある。
【００７７】
また、第２実施形態の変形例にかかる光分岐挿入装置４Ｄは、挿入部３１′−２が光合波器で構成されることにより、第２実施形態にかかる光分岐挿入装置４Ｃよりも信号光の損失は若干大きくなるが、光分岐挿入装置４Ｄの構成を簡素にすることができる。
（ｃ）その他
なお、上述においては、第１実施形態の第１変形例にかかる光分岐挿入装置４Ａにおける第１〜第３挿入部１１′−２〜１３′−２や、第２実施形態にかかる光分岐挿入装置４Ｄにおける挿入部３１′−２を構成する光合波器として、融着型の光カプラを例にあげて説明したが、これに限定されず、偏光依存性のないバルク型の光カプラを用いてもよく、このようにしても、光分岐挿入装置４Ａや光分岐挿入装置４Ｄの構成を簡素にすることができる。
【００７８】
【発明の効果】
以上詳述したように、本発明の光分岐挿入装置によれば、第１分岐部，第１挿入部，第２分岐部，第２挿入部，第３分岐部及び第３挿入部をそなえ、上り用入力側光ファイバから入力された信号光のうちの所望の波長の信号光については第１分岐部及び第１挿入部を介して上り用出力側光ファイバへ出力するとともに、上り用入力側光ファイバから入力された信号光のうちの所望の波長とは異なる他の波長の信号光については第１分岐部及び第３挿入部を介して分岐用出力側光ファイバへ出力し、分岐用入力側光ファイバから入力された信号光のうちの所望の波長の信号光については第３分岐部及び第１挿入部を介して上り用出力側光ファイバへ出力し、下り用入力側光ファイバから入力された信号光のうちの所望の波長の信号光については第２分岐部及び第２挿入部を介して下り用出力側光ファイバへ出力するとともに、下り用入力側光ファイバから入力された信号光のうちの所望の波長とは異なる他の波長の信号光については第２分岐部及び第３挿入部を介して分岐用出力側光ファイバへ出力し、分岐用入力側光ファイバから入力された信号光のうちの所望の波長とは異なる他の波長の信号光については第３分岐部及び第２挿入部を介して下り用出力側光ファイバへ出力するように構成されることにより、光ファイバからなる光伝送路の構成を簡素にしながら、信号光を伝送する際における信号光の分岐や挿入を低損失且つ高精度に行なうことができる利点がある。
【００７９】
また、本発明の光分岐挿入装置によれば、第１分岐部，第１挿入部，第２分岐部，第２挿入部，第３分岐部及び第３挿入部が、それぞれ誘電体多層膜フィルタで構成されることにより、電圧を印加しないで信号光の分岐及び挿入を低損失に行なうことができ、海底光通信を行なう光伝送システムにおいても安定に動作する利点がある。
【００８０】
さらに、本発明の光分岐挿入装置によれば、第１分岐部，第２分岐部及び第３分岐部が、それぞれ誘電体多層膜フィルタで構成されるとともに、第１挿入部，第２挿入部及び第３挿入部が、それぞれ光合波器で構成されることにより、電圧を印加しないで信号光の分岐及び挿入を低損失に行なうことができ、海底光通信を行なう光伝送システムにおいても安定に動作する利点がある。
【００８１】
また、本発明の光分岐挿入装置によれば、上記第１分岐部及び第１挿入部の両機能や上記第２分岐部及び第２挿入部の両機能をグレーティングフィルタで構成し、特に、グレーティングフィルタとしてファイバグレーティングフィルタ又は導波路型グレーティングフィルタを用いることにより、光分岐挿入装置の構成を簡素にすることができる利点がある。
【００８２】
さらに、本発明の光分岐挿入装置によれば、入力側光ファイバから入力された信号光のうちの所望の波長の信号光については出力側光ファイバへ出力するとともに、入力側光ファイバから入力された信号光のうちの所望の波長とは異なる他の波長の信号光については分岐用出力側光ファイバへ出力する分岐部と、分岐用入力側光ファイバから入力された信号光については出力側光ファイバへと出力する挿入部とをそなえ、分岐部及び挿入部がそれぞれ誘電体多層膜フィルタで構成されることにより、光ファイバからなる光伝送路の構成を簡素にしながら、信号光を伝送する際における信号光の分岐や挿入を低損失且つ高精度に行なうことができる利点がある。
【００８３】
また、本発明の光分岐挿入装置によれば、入力側光ファイバから入力された信号光のうちの所望の波長の信号光については出力側光ファイバへ出力するとともに、入力側光ファイバから入力された信号光のうちの所望の波長とは異なる他の波長の信号光については分岐用出力側光ファイバへ出力する分岐部と、分岐用入力側光ファイバから入力された信号光については出力側光ファイバへと出力する挿入部とをそなえ、分岐部が誘電体多層膜フィルタで構成されるとともに、挿入部が光合波器で構成されることにより、光ファイバからなる光伝送路の構成を簡素にしながら、信号光を伝送する際における信号光の分岐や挿入を低損失且つ高精度に行なうことができる利点がある。
【００８４】
さらに、本発明の光分岐挿入装置を有する光伝送システムによれば、光ファイバからなる光伝送路を介して相互に接続された複数の端局を有する光伝送システムにおいて、光伝送路を介して端局間で信号光の送受を行なうべく、光分岐挿入装置が光伝送路の分岐点に設けられることにより、光ファイバからなる光伝送路の構成を簡素にしながら、信号光を伝送する際における信号光の分岐や挿入を低損失且つ高精度に行なうことができる利点がある。
【図面の簡単な説明】
【図１】本発明の第１実施形態にかかる光分岐挿入装置の構成を示すブロック図である。
【図２】本発明の第１実施形態にかかる光分岐挿入装置が適用される光伝送システムの構成を示すブロック図である。
【図３】本発明の第１実施形態にかかる光分岐挿入装置に用いられる誘電体多層膜フィルタの動作を説明するための図である。
【図４】本発明の第１実施形態にかかる光分岐挿入装置に用いられる誘電体多層膜フィルタの動作を説明するための図である。
【図５】本発明の第１実施形態にかかる光分岐挿入装置に用いられる誘電体多層膜フィルタの構成を示すブロック図である。
【図６】本発明の第１実施形態にかかる光分岐挿入装置に用いられる誘電体多層膜フィルタの有する波長特性を示す図である。
【図７】本発明の第１実施形態にかかる光分岐挿入装置に用いられる誘電体多層膜フィルタの有する波長特性を示す図である。
【図８】本発明の第１実施形態にかかる光分岐挿入装置の構成を説明するための図である。
【図９】本発明の第１実施形態の第１変形例にかかる光分岐挿入装置の構成を示すブロック図である。
【図１０】本発明の第１実施形態の第２変形例にかかる光分岐挿入装置の構成を示すブロック図である。
【図１１】本発明の第１実施形態の第２変形例にかかる光分岐挿入装置に用いられるファイバグレーティングフィルタの構成を示すブロック図である。
【図１２】本発明の第２実施形態にかかる光分岐挿入装置の構成を示すブロック図である。
【図１３】本発明の第２実施形態にかかる光分岐挿入装置が適用される光伝送システムの構成を示すブロック図である。
【図１４】本発明の第２実施形態の変形例にかかる光分岐挿入装置の構成を示すブロック図である。
【図１５】従来の光伝送システムの構成を示す図である。
【図１６】従来の光伝送システムにおける光分岐挿入装置の構成を説明するための図である。
【符号の説明】
１，１′  Ａ局（端局）
２，２′  Ｂ局（端局）
３，３′  Ｃ局（端局）
４，４Ａ〜４Ｄ  光分岐挿入装置
５，５′  光伝送路
６，６′  光増幅器
１０，１０′  光伝送システム
１１−１  第１分岐部
１１−２，１１′−２  第１挿入部
１２−１  第２分岐部
１２−２，１２′−２  第２挿入部
１３−１  第３分岐部
１３−２，１３′−２  第３挿入部
１４−１〜１４−５，１５−１〜１５−５，１６−１，１６−２  光ファイバ
１７  誘電体多層膜フィルタ
１８−１，１８−２，１８−３  レンズ
１９  誘電体多層膜
２０  光ファイバ
２１  第１分岐挿入部
２２  第２分岐挿入部
２３  マッハツェンダ干渉計
２４  グレーティング
２５  分岐部
２６  挿入部
２７  ＵＶトリミング
３１−１  分岐部
３１−２，３１′−２  挿入部
３２−１〜３２−５  光ファイバ
１００  光伝送システム
１０１  Ａ局
１０２  Ｂ局
１０３  Ｃ局
１０４  Ｄ局
１０５，１０６  光分岐挿入装置
１０７  光伝送路
１０８  光増幅器
【図１】
0004041177.tif 000002
【図２】
0004041177.tif 000003
【図３】
0004041177.tif 000004
【図４】
0004041177.tif 000005
【図５】
0004041177.tif 000006
【図６】
0004041177.tif 000007
【図７】
0004041177.tif 000008
【図８】
0004041177.tif 000009
【図９】
0004041177.tif 000010
【図１０】
0004041177.tif 000011
【図１１】
0004041177.tif 000012
【図１２】
0004041177.tif 000013
【図１３】
0004041177.tif 000014
【図１４】
0004041177.tif 000015
【図１５】
0004041177.tif 000016
【図１６】
0004041177.tif 000017